(57)【要約】  本発明は、可撓性ポリマー材料を含む複数の平坦な傾斜シートを含む水処理用浄化装置を対象とする。各シートは、疎水性の表面を含む。また、本発明は、少なくとも一つのモジュールを含む浄化装置をも対象とし、各モジュールは、複数の垂直配向支持体と、該複数の垂直配向支持体間に張設されている、可撓性ポリマー材料を含む複数の平坦な傾斜シートとを含む。また、本発明は、液体を受け入れるように構成された集水トラフと、該集水トラフを支持するように構成された浮力部材とを含む、水処理システムの集水システムをも対象とする。
2020530386.tif 000002
【特許請求の範囲】
【請求項１】
可撓性ポリマー材料を含む複数の平坦な傾斜シートを備え、
各シートが疎水性の表面を備える水処理用浄化装置。
【請求項２】
前記可撓性ポリマー材料は、ポリエステル、ポリエチレン、ポリプロピレン、ポリテトラフルオロエチレン（ＰＴＦＥ）および／またはポリ塩化ビニル（ＰＶＣ）を含む、請求項１に記載の浄化装置。
【請求項３】
前記可撓性ポリマー材料は疎水性材料である、請求項１に記載の浄化装置。
【請求項４】
前記可撓性ポリマー材料の表面は、前記疎水性の表面を形成するように疎水性材料で処理されたファブリックである、請求項１に記載の浄化装置。
【請求項５】
前記疎水性の表面は、３〜１００μｍの平均表面粗さ（Ｓａ）を有する、請求項１に記載の浄化装置。
【請求項６】
複数の垂直配向支持体をさらに備え、前記複数の平坦な傾斜シートのうちのシートは、該複数の垂直配向支持体間に張設されている、請求項１に記載の浄化装置。
【請求項７】
前記複数の垂直配向支持体のうちの垂直配向支持体は、液体がそこを流れることを可能にするように構成された流入口を備える、請求項６に記載の浄化装置。
【請求項８】
前記複数の平坦な傾斜シートは互いに平行に配置され、該複数の平坦な傾斜シートの各シートは、複数の垂直配向支持体間に張設されている、請求項１に記載の浄化装置。
【請求項９】
前記複数の平坦な傾斜シートの第一のシートを張設する垂直配向支持体は、該複数の平坦な傾斜シートの第二のシートを張設する隣接の垂直配向支持体と連結する、請求項８に記載の浄化装置。
【請求項１０】
平行な前記シートは、地面に対して１０°から９０°の角度で配置される、請求項８に記載の浄化装置。
【請求項１１】
水溜り部と、
該水溜り部内に配置された、請求項１に記載の浄化装置であって、該浄化装置が、複数の垂直配向支持体をさらに備え、前記複数の平坦な傾斜シートの各シートは、該複数の垂直配向支持体間に張設されている浄化装置と、
を備える水処理システム。
【請求項１２】
前記可撓性ポリマー材料は、ポリエステル、ポリエチレン、ポリプロピレン、ポリテトラフルオロエチレン（ＰＴＦＥ）および／またはポリ塩化ビニル（ＰＶＣ）を含む、請求項１１に記載の水処理システム。
【請求項１３】
前記疎水性の表面は、３〜１００μｍの平均表面粗さ（Ｓａ）を有する、請求項１１に記載の水処理システム。
【請求項１４】
前記複数の平坦な傾斜シートは互いに平行に配置される、請求項１１に記載の水処理システム。
【請求項１５】
前記複数の平坦な傾斜シートの第一のシートを張設する垂直配向支持体は、該複数の平坦な傾斜シートの第二のシートを張設する隣接の垂直配向支持体と連結する、請求項１４に記載の水処理システム。
【請求項１６】
平行な前記シートは、地面に対して１０°から９０°の角度で配置される、請求項１４に記載の水処理システム。
【請求項１７】
前記浄化装置の上に少なくとも部分的に配置された集水トラフを備える集水システムをさらに備える、請求項１１に記載の水処理システム。
【請求項１８】
前記集水システムは、前記集水トラフを支持するように構成された浮力部材を備える、請求項１７に記載の水処理システム。
【請求項１９】
請求項１に記載の浄化装置を設けることと、
水を前記浄化装置に流すことと、
浄化された水および／または前記浄化装置によって該水から分離された廃棄物を集めることと、
を含む、水を処理する方法。
【請求項２０】
前記可撓性ポリマー材料は、ポリエステル、ポリエチレン、ポリプロピレン、ポリテトラフルオロエチレン（ＰＴＦＥ）および／またはポリ塩化ビニル（ＰＶＣ）を含む、請求項１９に記載の方法。
【発明の詳細な説明】
【技術分野】
【０００１】
（関連出願の相互参照）
この出願は、２０１７年８月９日に出願された米国特許仮出願第６２／５４３，０３６号、２０１７年１２月１４日に出願された同第６２／５９８，６２３号および２０１８年８月９日に出願された同第１６／０５９，４０９号に対する優先権を主張するものであり、これらの開示は、参照により、それら全体が本願に組み込まれるものとする。
【０００２】
本発明は、水処理用浄化装置、水処理システムおよび水（例えば、廃水、工業用水、飲料用水用源水）を処理する方法に関する。また、該本発明は、水処理システムの集水システム、および水処理システムからの浄化水を集水する方法に関する。
【背景技術】
【０００３】
傾斜プレートまたは傾斜シートを用いる浄化装置は、水処理システムにおける浄化プロセスで利用される。該浄化プロセスの前に、該水は、該水中の粒子を凝集させて、以後、本願明細書においてフロックと呼ぶ該粒子から成る凝集体を形成するように、ミョウバン、鉄またはポリマー等のいくつかの化学的組成にさらされる。そして、懸濁フロックを有する該水は、該プレートまたはシートを通って上方へ進み、フロック粒子は、沈降を介して、重力によってプレートまたはシート上に堆積し、該システムの上部へ進む浄化水を残す。
【０００４】
動作中、フロックは、該プレートまたはシート上に厚い層を形成し始めることができる。この層は、該プレートから脱落して、除去用の水溜り部の底部に沈殿するまで、わずかに集塊するように意図されている。しかし、通常、この凝集フロックは、時間と共に該プレートまたはシートに付着することになり、定期的に掃除しなければならない。該フロックを該プレートまたはシートから除去することは、典型的には手によるプロセスであり、このメンテナンスが行われている間は、浄化を停止することをプラントに要求する。そのため、該プレートまたはシート上のフロックから成る該凝集体を最小限にする、改良されたプレートまたはシートを備えた浄化装置をデザインすることが望ましいであろう。
【０００５】
現存のプレートまたはシートの浄化装置を購入することは、付随する材料および設置に関するコストに一部基づく高い初期費用を必要とする。例えば、ステンレス鋼製プレートを利用し、かつ一日に７５０万ガロン（ｍｉｌｌｉｏｎ  ｇａｌｌｏｎ  ｐｅｒ  ｄａｙ：ＭＧＤ）を受け入れるプラントを稼働させるように設計された浄化装置は、６３万ドル以上の費用がかかる。この費用の大部分は、該浄化装置の該ステンレス鋼製プレートに関連している。該浄化装置の基礎構造は、重い鋼製プレートを支持するように十分にロバストでなければならないため、該ステンレス鋼製プレートの重さは、該浄化装置の該費用を増加させる。したがって、現存のステンレス鋼製プレートの浄化装置と比較して、より費用効率の高い該浄化装置をデザインすることが望ましいであろう。
【発明の概要】
【０００６】
本発明は、可撓性ポリマー材料を含む複数の平坦な傾斜シートを含む水処理用浄化装置を対象とする。各シートは、疎水性の表面を含む。
【０００７】
該可撓性ポリマー材料は、ポリエチレン（例えば、高密度ポリエチレン（ＨＤＰＥ）、低密度ポリエチレン（ＬＤＰＥ）、鎖状低密度ポリエチレン（ＬＬＤＰＥ））、ポリプロピレン（ＰＰ）、ポリテトラフルオロエチレン（ＰＴＦＥ）、ポリ塩化ビニル（ＰＶＣ）、ポリエステル、または、これらの或る組合せを含んでもよい。該可撓性ポリマー材料は、疎水性材料であってもよい。該可撓性ポリマー材料の表面は、該疎水性の表面を形成するように疎水性材料で処理されたファブリックであってもよい。該疎水性の表面は、３〜１００μｍの平均表面粗さ（ａｖｅｒａｇｅ  ｓｕｒｆａｃｅ  ｒｏｕｇｈｎｅｓｓ：Ｓａ）を有していてもよい。該浄化装置は、複数の垂直配向支持体を含んでもよく、この場合、該複数の平坦な傾斜シートのうちのシートは、該複数の垂直配向支持体間に張設されている。該複数の垂直配向支持体のうちの垂直配向支持体は、液体が中を通って流れることを可能にするように構成された流入口を含んでもよい。該複数の平坦な傾斜シートは、互いに平行に配置され、および該複数の平坦な傾斜シートの各シートは、複数の垂直配向支持体間に張設されてもよい。該複数の平坦な傾斜シートの第一のシートを張設する垂直配向支持体は、該複数の平坦な傾斜シートの第二のシートを張設する隣接の垂直配向支持体と連結してもよい。平行なシートは、地面に対して１０°から９０°の角度で配置してもよい。
【０００８】
また、本発明は、水溜り部と、可撓性ポリマー材料を含む複数の平坦な傾斜シートを含む水処理用浄化装置とを含む水処理システムであって、各シートが疎水性の表面を含み、該浄化装置が該水溜り部内に配置されている水処理システムを対象とする。該浄化装置は、複数の垂直配向支持体をさらに含む。該複数の平坦な傾斜シートの各シートは、該複数の垂直配向支持体間に張設されている。
【０００９】
上記可撓性ポリマー材料は、ポリエステル、ポリエチレン（例えば、高密度ポリエチレン（ＨＤＰＥ）、低密度ポリエチレン（ＬＤＰＥ）、鎖状低密度ポリエチレン（ＬＬＤＰＥ））、ポリプロピレン、ポリテトラフルオロエチレン（ＰＴＦＥ）および／またはポリ塩化ビニル（ＰＶＣ）を含んでもよい。上記疎水性の表面は、３〜１００μｍの平均表面粗さ（Ｓａ）を有していてもよい。上記複数の平坦な傾斜シートは、互いに平行に配置することができる。該複数の平坦な傾斜シートの第一のシートを張設する垂直配向支持体は、該複数の平坦な傾斜シートの第二のシートを張設する隣接の垂直配向支持体と連結してもよい。平行なシートは、地面に対して１０°から９０°の角度で配置してもよい。上記水処理システムは、上記浄化装置の上に少なくとも部分的に配置された集水トラフを含む集水システムをさらに含んでもよい。該集水システムは、該集水トラフを支持するように構成された浮力部材を含んでもよい。
【００１０】
また、本発明は、可撓性ポリマー材料を含む複数の平坦な傾斜シートを含む該水処理用浄化装置を設けることであって、各シートが疎水性の表面を含み、該浄化装置が該水溜り部内に配置されることと、水を該浄化装置に流すことと、浄化された水および／または該浄化装置によって該水から分離された廃棄物を集めることとを含む、水を処理する方法をも対象とする。
【００１１】
上記可撓性ポリマー材料は、ポリエステル、ポリエチレン（例えば、高密度ポリエチレン（ＨＤＰＥ）、低密度ポリエチレン（ＬＤＰＥ）、鎖状低密度ポリエチレン（ＬＬＤＰＥ））、ポリプロピレン、ポリテトラフルオロエチレン（ＰＴＦＥ）および／またはポリ塩化ビニル（ＰＶＣ）を含んでもよい。
【００１２】
また、本発明は、少なくとも一つのモジュールであって、各モジュールが、複数の垂直配向支持体と、該複数の垂直配向支持体間に張設されている、可撓性ポリマー材料を含む平坦な傾斜シートとを含む、少なくとも一つのモジュールを含む水処理用浄化装置をも対象とする。
【００１３】
該浄化装置は、該複数の垂直配向支持体間に張設されている、該可撓性ポリマー材料を含む複数の傾斜シートを含んでもよい。該浄化装置は、複数のモジュールを含んでもよく、および該複数のモジュールは、互いに連結してもよい。各垂直配向支持体は、舌部を含む第一の側と、溝を含む第二の側とを含んでもよく、この場合、該複数のモジュールは、隣接する第二の垂直配向支持体の溝に係合する第一の垂直配向支持体の該舌部によって、互いに連結する。該浄化装置は、複数のモジュールを含んでもよく、この場合、該複数のモジュールは、互いに平行に配置される。該モジュールは、地面に対して１０°から９０°の角度で配置してもよい。該シートは、疎水性の表面を含んでもよい。該可撓性ポリマー材料は、ポリエステル、ポリエチレン（例えば、高密度ポリエチレン（ＨＤＰＥ）、低密度ポリエチレン（ＬＤＰＥ）、鎖状低密度ポリエチレン（ＬＬＤＰＥ））、ポリプロピレン、ポリテトラフルオロエチレン（ＰＴＦＥ）および／またはポリ塩化ビニル（ＰＶＣ）を含んでもよい。該可撓性ポリマー材料は、疎水性材料であってもよい。該可撓性ポリマー材料の表面は、該疎水性の表面を形成するように疎水性材料で処理されたファブリックであってもよい。該疎水性の表面は、３〜１００μｍの平均表面粗さ（Ｓａ）を有していてもよい。該複数の垂直配向支持体のうちの垂直配向支持体は、液体が中を通って流れることを可能にするように構成された流入口を含んでもよい。
【００１４】
また、本発明は、水溜り部と、少なくとも一つのモジュールを含む浄化装置であって、各モジュールが、複数の垂直配向支持体と、該複数の垂直配向支持体間に張設されている、可撓性材料を含む平坦な傾斜シートとを含み、該浄化装置が該水溜り部内に配置されている浄化装置とを含む水処理システムをも対象とする。
【００１５】
該水処理システムは、複数のモジュールを含んでもよく、この場合、該複数のモジュールは互いに連結する。各垂直配向支持体は、舌部を含む第一の側と、溝を含む第二の側とを含んでもよく、この場合、該複数のモジュールは、隣接する第二の垂直配向支持体の溝に係合する第一の垂直配向支持体の該舌部によって互いに連結する。該水処理システムは、複数のモジュールを含んでもよく、この場合、該複数のモジュールは、互いに平行に配置される。該モジュール群は、地面に対して１０°から９０°の角度で配置してもよい。該可撓性ポリマー材料は、ポリエステル、ポリエチレン（例えば、高密度ポリエチレン（ＨＤＰＥ）、低密度ポリエチレン（ＬＤＰＥ）、鎖状低密度ポリエチレン（ＬＬＤＰＥ））、ポリプロピレン、ポリテトラフルオロエチレン（ＰＴＦＥ）および／またはポリ塩化ビニル（ＰＶＣ）を含んでもよい。該複数の垂直配向支持体のうちの垂直配向支持体は、液体が中を通って流れることを可能にするように構成された流入口を含んでもよい。
【００１６】
また、本発明は、少なくとも一つのモジュールを含む浄化装置であって、各モジュールが、複数の垂直配向支持体と、該複数の垂直配向支持体間に張設されている、可撓性ポリマー材料を含む平坦な傾斜シートとを含む浄化装置を設けることと、水を該浄化装置に流すことと、浄化された水および／または該浄化装置によって該水から分離された廃棄物を集めることとを含む、水を処理する方法をも対象とする。
【００１７】
また、本発明は、液体を受け入れるように構成された集水トラフと、該集水トラフを支持するように構成された浮力部材とを含む、水処理システムの集水システムをも対象とする。
【００１８】
該集水トラフは、プラスチックシートを含んでもよい。該集水トラフは、可撓性材料を含んでもよい。該集水システムは、該集水トラフを支持するための少なくとも一つのケーブルをさらに含んでもよい。該浮力部材は、膨張式バッグまたはポンツーンを含んでもよい。該浮力部材は、水中で浮くように構成することができる。
【００１９】
また、本発明は、水溜り部と、該水溜り部内に配置された浄化装置と、液体を受け入れるように構成された集水トラフ及び該集水トラフを支持するように構成された浮力部材とを含む集水システムであって、該浄化装置の上に少なくとも部分的に配置され且つ該浄化装置と流体的に連通している該集水システムと、を含む水処理システムをも対象とする。
【００２０】
該集水トラフは、プラスチックシートを含んでもよい。該集水トラフは、可撓性材料を含んでもよい。該集水システムは、該集水トラフを支持するための少なくとも一つのケーブルをさらに含んでもよい。該浮力部材は、膨張式バッグまたはポンツーンを含んでもよい。該浮力部材は、水中で浮くように構成することができる。
【００２１】
また、本発明は、水溜り部と、該水溜り部内に配置された浄化装置と、液体を受け入れるように構成された集水トラフおよび該集水トラフを支持するように構成された浮力部材を含む集水システムであって、該浄化装置の上に少なくとも部分的に配置され且つ該浄化装置と流体的に連通している集水システムとを含む水処理システムを設けることと、水を該浄化装置に流すことと、該集水トラフ内で該水から浄化された浄化水を集めることとを含む、水処理システムから浄化水を集める方法をも対象とする。
【００２２】
該方法は、該浄化装置によって該水から分離された廃棄物を集めることをさらに含んでもよい。該廃棄物は、該浄化装置の基部に集まるように構成してもよい。該集水トラフは、プラスチックシートを含んでもよい。該集水トラフは、可撓性材料を含んでもよい。該水処理システムは、該集水トラフを支持するための少なくとも一つのケーブルをさらに含んでもよい。該浮力部材は、膨張式バッグまたはポンツーンを含んでもよい。該浮力部材は、水中で浮くように構成することができる。
【００２３】
本発明は、以下の条項の内容をさらに含む。
【００２４】
条項１：可撓性ポリマー材料を含む複数の平坦な傾斜シートを備える水処理用浄化装置であって、各シートが疎水性の表面を含む、水処理用浄化装置。
【００２５】
条項２：可撓性ポリマー材料が、ポリエステル、ポリエチレン、ポリプロピレン、ポリテトラフルオロエチレン（ＰＴＦＥ）および／またはポリ塩化ビニル（ＰＶＣ）を含む条項１の浄化装置。
【００２６】
条項３：該可撓性ポリマー材料が疎水性材料である条項１または２の浄化装置。
【００２７】
条項４：該可撓性ポリマー材料の表面が、該疎水性の表面を形成するように疎水性材料で処理されたファブリックである条項１から３のいずれかの浄化装置。
【００２８】
条項５：該疎水性の表面が、３〜１００μｍの平均表面粗さ（Ｓａ）を有する条項１から４のいずれかの浄化装置。
【００２９】
条項６：複数の垂直配向支持体をさらに備え、該複数の平坦な傾斜シートのうちのシートは、該複数の垂直配向支持体間に張設されている条項１から５のいずれかの浄化装置。
【００３０】
条項７：該複数の垂直配向支持体のうちの垂直配向支持体が、液体がそこを流れることを可能にするように構成された流入口を備える、条項６の浄化装置。
【００３１】
条項８：該複数の平坦な傾斜シートが互いに平行に配置され、該複数の平坦な傾斜シートの各シートは、複数の垂直配向支持体間に張設されている条項１から７のいずれかの浄化装置。
【００３２】
条項９：該複数の平坦な傾斜シートの第一のシートを張設する垂直配向支持体は、該複数の平坦な傾斜シートの第二のシートを張設する隣接の垂直配向支持体と連結する、条項８の該浄化装置。
【００３３】
条項１０：平行な該シートは、地面に対して１０°から９０°の角度で配置される、条項８または９の該浄化装置。
【００３４】
条項１１：水溜り部と、該水溜り部内に配置された、条項１から１０のいずれかに記載の該浄化装置であって、該浄化装置が、複数の垂直配向支持体をさらに備え、該複数の平坦な傾斜シートの各シートは、該複数の垂直配向支持体間に張設されている浄化装置とを備える水処理システム。
【００３５】
条項１２：該可撓性ポリマー材料が、ポリエステル、ポリエチレン、ポリプロピレン、ポリテトラフルオロエチレン（ＰＴＦＥ）および／またはポリ塩化ビニル（ＰＶＣ）を含む、条項１１の該水処理システム。
【００３６】
条項１３：該疎水性の表面が、３〜１００μｍの平均表面粗さ（Ｓａ）を有する、条項１１または１２の該水処理システム。
【００３７】
条項１４：該複数の平坦な傾斜シートが互いに平行に配置されている、条項１１から１３のいずれかの該水処理システム。
【００３８】
条項１５：該複数の平坦な傾斜シートの第一のシートを張設する垂直配向支持体は、該複数の平坦な傾斜シートの第二のシートを張設する隣接の垂直配向支持体と連結する、条項１４の該水処理システム。
【００３９】
条項１６：平行な該シートは、地面に対して１０°から９０°の角度で配置される、条項１４または１５の該水処理システム。
【００４０】
条項１７：該浄化装置の上に少なくとも部分的に配置された集水トラフを備える集水システムをさらに備える、条項１１から１６のいずれかの該水処理システム。
【００４１】
条項１８：該集水システムが、該集水トラフを支持するように構成された浮力部材を備える、条項１７の該水処理システム。
【００４２】
条項１９：請求項１から１０のいずれかの該浄化装置を設けることと、水を該浄化装置に流すことと、浄化された水および／または該浄化装置によって該水から分離された廃棄物を集めることとを含む、水を処理する方法。
【００４３】
条項２０：該可撓性ポリマー材料は、ポリエステル、ポリエチレン、ポリプロピレン、ポリテトラフルオロエチレン（ＰＴＦＥ）および／またはポリ塩化ビニル（ＰＶＣ）を含む、条項１９の該方法。
【００４４】
条項２１：少なくとも一つのモジュールを備え、各モジュールが、複数の垂直配向支持体と、該複数の垂直配向支持体間に張設されている、可撓性ポリマー材料を含む平坦な傾斜シートとを備える水処理用浄化装置。
【００４５】
条項２２：該可撓性ポリマー材料を含む複数の傾斜シートが、該複数の垂直配向支持体間に張設されている、条項２１の該浄化装置。
【００４６】
条項２３：複数のモジュールを含み、該複数のモジュールが互いに連結する、条項２１または２２の該浄化装置。
【００４７】
条項２４：各垂直配向支持体は、舌部を備える第一の側と、溝を備える第二の側とを備え、該複数のモジュールは、隣接する第二の垂直配向支持体の溝に係合する第一の垂直配向支持体の該舌部によって互いに連結する、条項２３の該浄化装置。
【００４８】
条項２５：複数のモジュールを備え、該複数のモジュールが互いに平行に配置されている、条項２１から２４のいずれかの該浄化装置。
【００４９】
条項２６：該モジュールは、地面に対して１０°から９０°の角度で配置される、条項２５の該浄化装置。
【００５０】
条項２７：該シートが疎水性の表面を備えている、条項２１から２６のいずれかの該浄化装置。
【００５１】
条項２８：該可撓性ポリマー材料は、ポリエステル、ポリエチレン、ポリプロピレン、ポリテトラフルオロエチレン（ＰＴＦＥ）および／またはポリ塩化ビニル（ＰＶＣ）を含む、条項２１から２７のいずれかの該浄化装置。
【００５２】
条項２９：該可撓性ポリマー材料が疎水性材料である、条項２１から２８のいずれかの該浄化装置。
【００５３】
条項３０：該可撓性ポリマー材料の表面が、該疎水性の表面を形成するように疎水性材料で処理されたファブリックである、条項２７から２９のいずれかの該浄化装置。
【００５４】
条項３１：該疎水性の表面は、３〜１００μｍの平均表面粗さ（Ｓａ）を有する、条項２７から３０のいずれかの該浄化装置。
【００５５】
条項３２：該複数の垂直配向支持体のうちの垂直配向支持体は、液体がそこを流れることを可能にするように構成された流入口を備える、条項２１から３１のいずれかの該浄化装置。
【００５６】
条項３３：水溜り部と、該水溜り部内に配置された、条項２１から３２のいずれかの該浄化装置とを備える水処理システム。
【００５７】
条項３４：複数のモジュールを備え、該複数のモジュールが互いに連結する、条項３３の該水処理システム。
【００５８】
条項３５：各垂直配向支持体は、舌部を備えている第一の側と、溝を備えている第二の側とを備え、該複数のモジュールは、隣接する第二の垂直配向支持体の溝に係合する第一の垂直配向支持体の該舌部によって互いに連結する、条項３４の該水処理システム。
【００５９】
条項３６：複数のモジュールを備え、該複数のモジュールが互いに平行に配置されている、条項３３から３５のいずれかの該水処理システム。
【００６０】
条項３７：該モジュールは、地面に対して１０°から９０°の角度で配置される、条項３６の該水処理システム。
【００６１】
条項３８：該可撓性ポリマー材料は、ポリエステル、ポリエチレン、ポリプロピレン、ポリテトラフルオロエチレン（ＰＴＦＥ）および／またはポリ塩化ビニル（ＰＶＣ）を含む、条項３３から３７のいずれかの該水処理システム。
【００６２】
条項３９：該複数の垂直配向支持体のうちの垂直配向支持体は、液体がそこを通って流れることを可能にするように構成された流入口を備えている、条項３３から３８のいずれかの該水処理システム。
【００６３】
条項４０：条項２１から３２のいずれかの該浄化装置を設けることと、水を該浄化装置に流すことと、浄化された水および／または該浄化装置によって該水から分離された廃棄物を集めることとを含む、水を処理する方法。
【００６４】
条項４１：液体を受け入れるように構成された集水トラフと、該集水トラフを支持するように構成された浮力部材とを備える、水処理システムの集水システム。
【００６５】
条項４２：該集水トラフがプラスチックシートを備える、条項４１の該集水システム。
【００６６】
条項４３：該集水トラフが可撓性材料を備える、条項４１または４２の該集水システム。
【００６７】
条項４４：該集水トラフを支持するための少なくとも一つのケーブルをさらに備える、条項４１から４３のいずれかの該集水システム。
【００６８】
条項４５：該浮力部材が、膨張式バッグまたはポンツーンを備える、条項４１から４４のいずれかの該集水システム。
【００６９】
条項４６：該浮力部材は、水中で浮くように構成されている、条項４１から４５のいずれかの該集水システム。
【００７０】
条項４７：水溜り部と、該水溜り部内に配置された浄化装置と、該浄化装置の上に少なくとも部分的に配置され且つ該浄化装置と流体的に連通している、条項４１から４６のいずれかの該集水システムとを備える水処理システム。
【００７１】
条項４８：該集水トラフがプラスチックシートを備える、条項４７の該水処理システム。
【００７２】
条項４９：該集水トラフが可撓性材料を備える、条項４７または４８の該水処理システム。
【００７３】
条項５０：該集水トラフを支持するための少なくとも一つのケーブルをさらに備える、条項４７から４９のいずれかの該水処理システム。
【００７４】
条項５１：該浮力部材が膨張式バッグまたはポンツーンを備える、条項４７から５０のいずれかの該水処理システム。
【００７５】
条項５２：該浮力部材は、水中で浮くように構成されている、条項４７から５１のいずれかの該水処理システム。
【００７６】
条項５３：条項４７から５２のいずれかの該水処理システムを設けることと、水を該浄化装置に流すことと、該集水トラフ内で該水から浄化された浄化水を集めることとを含む、水処理システムから浄化水を集める方法。
【００７７】
条項５４：該浄化装置によって該水から分離された廃棄物を集めることをさらに含む、条項５３の該方法。
【００７８】
条項５５：該廃棄物が該浄化装置の基部に集まるように構成されている、条項５４の該方法。
【００７９】
条項５６：該集水トラフがプラスチックシートを備える、条項５３から５５のいずれかの該方法。
【００８０】
条項５７：該集水トラフが可撓性材料を備える、条項５３から５６のいずれかの該方法。
【００８１】
条項５８：該水処理システムは、該集水トラフを支持するための少なくとも一つのケーブルをさらに備える、条項５３から５７のいずれかの該方法。
【００８２】
条項５９：該浮力部材が、膨張式バッグまたはポンツーンを備える、条項５３から５８のいずれかの該方法。
【００８３】
条項６０：該浮力部材は、水中で浮くように構成されている、条項５３から５９のいずれかの該方法。
【００８４】
条項６１：可撓性ポリマー材料を備える複数の傾斜チューブを備え、各チューブが疎水性の表面を備えている、水処理用浄化装置。
【００８５】
条項６２：該可撓性ポリマー材料は、ポリエステル、ポリエチレン、ポリプロピレン、ポリテトラフルオロエチレン（ＰＴＦＥ）および／またはポリ塩化ビニル（ＰＶＣ）を含む、条項６１の該浄化装置。
【００８６】
条項６３：該可撓性ポリマー材料が疎水性材料である、条項６１または６２の該浄化装置。
【００８７】
条項６４：該可撓性ポリマー材料の表面は、該疎水性の表面を形成するように疎水性材料で処理されたファブリックである、条項６１から６３のいずれかの該浄化装置。
【００８８】
条項６５：該疎水性の表面が、３〜１００μｍの平均表面粗さ（Ｓａ）を有する、条項６１から６４のいずれかの該浄化装置。
【００８９】
条項６６：該複数の傾斜チューブを支持するために、該複数の傾斜チューブと協働する支持体をさらに備える、条項６１から６５のいずれかの該浄化装置。
【００９０】
条項６７：該複数の傾斜チューブがハニカム構造を形成する、条項６１から６６のいずれかの該浄化装置。
【００９１】
条項６８：該複数の傾斜チューブの第一のチューブは、該複数の傾斜チューブの隣接する第二のチューブに取付けられている、条項６１から６７のいずれかの該浄化装置。
【００９２】
条項６９：該複数の傾斜チューブは、地面に対して１０°から９０°の角度で配置される、条項６１から６８のいずれかの該浄化装置。
【００９３】
条項７０：該浄化装置へのガスを泡立たせて該シートを洗浄するように構成されたスパージングシステムをさらに備えている、条項１１から１８または３３から３９のいずれかの該水処理システム。
【００９４】
条項７１：該シートが弛みを備えている、条項１から１０または２１から３２のいずれかの該浄化装置。
【図面の簡単な説明】
【００９５】
【図１】水処理用浄化装置のモジュールの斜視図を示す。
【図２】水処理用浄化装置の二つの連結モジュールの斜視図を示す。
【図３】可撓性ポリマー材料を含む複数の平坦な傾斜シートを含むモジュールの斜視図を示す。
【図４】水処理システムの斜視図を示す。
【図５】図４の該水処理システムの側面図を示す。
【図６】図５の該水処理システムの正面図を示す。
【図７】水溜り部内に配置されていない、図４に示す該浄化装置の斜視図を示す。
【図８】浄化装置を上部ケーブルを用いて支持した水処理システムの斜視図を示す。
【図９】浮力部材を利用する集水システムの斜視図を示す。
【図１０】図９の該集水システムを含む水処理システムの斜視図を示す。
【図１１】水処理システムの別の実施形態の斜視図を示す。
【図１２】一緒に溶接された、図１１の該水処理システムの該モジュールの拡大斜視図を示す。
【図１３】チューブ浄化装置を有する水処理システムの別の実施形態の斜視図を示す。
【図１４】フレームによって支持された、図１３の該チューブ浄化装置の斜視図を示す。
【発明を実施するための形態】
【００９６】
本願明細書における以下の説明目的のために、「上方」、「下方」、「右」、「左」、「垂直方向」、「水平方向」、「上部」、「底部」、「横方向」、「長手方向」という用語およびこれらの派生語は、本発明が図面において方向付けられている場合には、本発明に関連しているものとする。しかし、それとは逆に明確に指定されている場合を除いて、本発明は、代替的な変形例およびステップの順序を想定してもよいことを理解すべきである。また、添付図面に例示されている、および以下の明細書に記載されている特定の装置およびプロセスが、本発明の例示的な実施形態にすぎないことも理解すべきである。したがって、本願明細書に開示されている実施形態に関連する具体的な寸法や他の物理的特徴は、限定的と見なすべきではない。
【００９７】
また、本願明細書に挙げられている何らかの数値の範囲は、それに包含されているすべての部分範囲を含むことが意図されていることを理解すべきである。例えば、「１から１０」という範囲は、挙げられている１という最小値と、挙げられている１０という最大値との間のすべての部分範囲を含むこと（および含んでいること）、すなわち、１以上の最小値と、１０以下の最大値とを有していることが意図されている。
【００９８】
この出願において、単数形の使用は、特に記述されていない限り、複数形を含み、および複数形は単数形を包含する。加えて、この出願において、「または」の使用は、「および／または」がいくつかの事例で明確に使用されている可能性があっても、特に記述されていない限り、「および／または」を意味する。さらに、この出願において、「一つの（“ａ”または“ａｎ”）」の使用は、特に記述されていない限り、「少なくとも一つの」を意味する。
【００９９】
図１を参照すると、非限定的な実施形態による水処理用浄化装置に用いられるモジュール１０が図示されている。疎水性の表面１３を有するシート１２を含み、該シート１２は、可撓性ポリマー材料を含んでいる。該シートは、実質的に平坦であってもよい。いくつかの非限定的実施形態において、該可撓性ポリマー材料は、疎水性材料であってもよい。「疎水性材料」または「疎水性の表面」という用語は、本願明細書において用いられる場合、水と接触したときに、少なくとも９０°の水接触角（Ｗａｔｅｒ  Ｃｏｎｔａｃｔ  Ａｎｇｌｅ：ＷＣＡ）を呈する材料または表面を指す。いくつかの非限定的実施例において、該可撓性ポリマー材料は、該疎水性の表面１３を形成するように疎水性材料で処理されたファブリックを含む。疎水性材料の実例は、シリカゲル。ＰＴＦＥ、グラファイトおよび／またはグラフェンを含む。該可撓性ポリマー材料は、ポリエステル、ポリエチレン（例えば、高密度ポリエチレン（ＨＤＰＥ）、低密度ポリエチレン（ＬＤＰＥ）、鎖状低密度ポリエチレン（ＬＬＤＰＥ））、ポリプロピレン（ＰＰ）、ポリテトラフルオロエチレン（ＰＴＦＥ）、ポリ塩化ビニル（ＰＶＣ）、または、これらの或る組合せを含んでもよい。
【０１００】
いくつかの非限定的実施形態において、該疎水性の表面１３は、５〜２０μｍの平均表面粗さ（Ｓａ）を有していてもよい。本願明細書において測定されて報告されているように、平均表面粗さ（Ｓａ）は、以下の方程式による三次元表面に関する評価の基準である。
【数１】
2020530386.tif 000003
該方程式Ｚ（ｘ，ｙ）は、最適なプレートに対する該表面の高さを表す関数であり、また、「ａ」は、測定の領域にわたって積分が行われることを示している。
【０１０１】
該疎水性の表面１３は、３〜１００μｍのミクロンレベルのＳａを有していてもよい。該疎水性の表面１３は、粗面を有していてもよい。粗面は、本願明細書において用いられる場合、Ｓａ≧１５μｍ、例えば、１５μｍ≦Ｓａ≦１００μｍを有する表面を指してもよい。該疎水性の表面１３は、滑面を有していてもよい。滑面は、本願明細書において用いられる場合、Ｓａ＜１５μｍを有する表面を指してもよい。
【０１０２】
引き続き図１を参照すると、該モジュール１０は、複数の垂直配向支持体１４を含んでもよい。該垂直配向支持体１４は、傾斜させるために、該地面と非平行に配置することができ、および該地面と１０°から９０°、例えば、２０°から８０°、３５°から７０°、４０°から６０°、４５°から６５°、または４５°から５５°の角度を形成してもよい。該垂直配向支持体１４によって形成される該地面に対する該角度は変化させてもよい。該角度は、本願明細書において後述する該浄化装置を支持するのに用いられる該ケーブルを用いることを含む、何らかの適当なシステムを用いて変化させてもよい。該シート１２のうちの少なくとも一つは、該垂直配向支持体１４間に張設されてもよい。該垂直配向支持体１４間に張設されている該シート１２は、該地面に対して該垂直配向支持体１４と同じ角度を形成してもよい。該シート１２は、垂直配向支持体１４間で緊張されるように、該垂直配向支持体１４間に張設されてもよく、または、該シートは、該シート１２がある程度の弛みを含むように、該垂直配向支持体間に張設されてもよい。該支持体群は、（該地面に平行に配置された支持体群とは対照的に）垂直配向支持体１４であるため、該シートにおける任意の弛みは、該シート１２の該底部よりも高い或る箇所において、該シート１２の中心に向かって沈殿する廃棄物とは対照的に、該廃棄物（固形物）を該モジュール１０の該中心および底部に押しこむような重力を引き起こすことができる。これは、該弛みが、シュートと同様に、蓄積された固形物を該シート１２の該中心へ集中させるのを補助するためである。また、このことは、流入水で廃棄物の流れを邪魔しないことにより、該廃棄物の流れから該流入水を分離することを補助して、全体的な浄化を改善する。したがって、該垂直配向支持体１４間に張設されている該シート１２は、傾斜シート１２を有する傾斜モジュール１０を形成するように配置される。
【０１０３】
引き続き図１を参照すると、該垂直配向支持体１４のうちの少なくとも一つは、そこを通して液体を流すことを可能にするように構成された流入口１６を含んでもよい。点線矢印および実線矢印は、図示されている該モジュール１０の該非限定的実施形態における水および廃棄物の流れを示している。水は、該点線矢印によって示すように、該垂直配向支持体の該流入口１６を通って該モジュール１０に入る。該水が該傾斜シート１２の上方へ移動するにつれて、該水は、該モジュール１０に流れる該水に含まれている該廃棄物（例えば、スラッジ）が該浄化装置の該基部１７における該モジュール１０の該底部に沈殿することによって浄化される。該基部１７に沈殿している廃棄物の該流れは、該実線によって示されている。
【０１０４】
図２を参照すると、一つの非限定的実施形態による浄化装置１９が図示されている。該浄化装置１９は、複数の平坦な傾斜シート１２ａ、１２ｂを含んでもよい。該浄化装置１９は、少なくとも一つのモジュール１０ａ、１０ｂを含み、また、図２に示す実施例では、二つのモジュール１０ａ、１０ｂを含んでいる。任意の数のモジュール１０ａ、１０ｂを該浄化装置１９に用いてもよいことは正しく認識されるであろう。該複数のシート１２ａ、１２ｂは、各シート１２ａ、１２ｂが、複数の垂直配向支持体１４（それらは、同じかまたは異なる垂直配向支持体１４とすることができる）間に張設されている状態で、互いに平行に該浄化装置１９内に配置してもよい。また、該モジュール１０ａ、１０ｂも、互いに平行に該浄化装置１９内に配置してもよい。
【０１０５】
引き続き図２を参照すると、該垂直配向支持体１４ａ、１４ｂの非限定的実施形態が図示されている。該垂直配向支持体１４ａ、１４ｂは、該シート１２ａ、１２ｂを該垂直配向支持体１４ａ、１４ｂ間で張設できるように、該シート１２ａ、１２ｂを受け入れるための凹部１８ａ、１８ｂを含んでもよい。該シート１２ａ、１２ｂは、該垂直配向支持体１４ａ、１４ｂ間に張設できるように、該凹部１８ａ、１８ｂに挿入されるロッドを覆って装着してもよい。
【０１０６】
引き続き図２を参照すると、該浄化装置１９の該モジュール１０ａ、１０ｂは、互いに連結してもよい。一つの非限定的実施形態において、第一のモジュール１０ａは、第二のモジュール１０ｂの該垂直配向支持体１４ｂと連結する該第一のモジュール１０ａの該垂直配向支持体１４ａによって、隣接する該第二のモジュール１０ｂと連結することができる。該垂直配向支持体１４ａ、１４ｂは、溝２０ａ、２０ｂを含む第一の側と、舌部２２ａ、２２ｂを含む第二の側とを含んでもよい。該垂直配向支持体１４ａ、１４ｂは、該第二の垂直配向支持体１４ｂの該舌部２２ａに係合している該第一の垂直配向支持体１４ａの該溝２０ｂによって、互いに連結することができる。
【０１０７】
図３を参照すると、該モジュール１０を含む、浄化装置１９の別の非限定的実施形態が図示されている。図４に示す該モジュール１０は、前述したような該垂直配向支持体１４を含む。該垂直配向支持体１４は、前述したような該舌部２２および溝２０を含んでいる。この非限定的実施形態おいて、該垂直配向支持体１４は、それらの間に複数のシート１２を張設する。この特定の実施形態においては、五つのシート１２が、該垂直配向支持体１４間で張設されているが、任意の数のシート１２を、任意の単一のモジュール１０の垂直配向支持体１４間で張設できることは正しく認識されるであろう。
【０１０８】
図４から図７を参照すると、非限定的実施形態による水処理システム３０が図示されている。該水処理システム３０は、複数の壁と一つの床で画定された水溜り部３２を含む。該水処理システム３０は、該水溜り部３２内に配置された少なくとも一つの浄化装置１９ａ、１９ｂを含む。
【０１０９】
引き続き図４から図７を参照すると、該浄化装置１９ａ、１９ｂは、何らかの適当な構成を利用して、該水溜り部３２内で支持することができる。ひとつのこのような非限定的な構成において、各モジュール１０ａ、１０ｂは、該モジュール１０ａ、１０ｂの下方部分に近接して延在している少なくとも一つのロッド３４を含む。下方ケーブル３６は、該ロッド３４の各々に係合し、該下方ケーブル３６の端部は、該水溜り部３２の壁４０ａ、４０ｂが該浄化装置１９ａ、１９ｂを支持できるように、該水溜り部３２の該壁４０ａ、４０ｂに取付けることができる。
【０１１０】
浄化装置１９ａ、１９ｂは、図４から図７に示すように、並んで配置することができる（例えば、第一の浄化装置１９ａのモジュール１０ａは、第二の浄化装置１９ｂのモジュール１０ｃと並んで配置される）。中心ロッド４４は、隣り合った浄化装置１９ａ、１９ｂを互いに対して固定するように、該隣り合った浄化装置１９ａ、１９ｂの間に延在することができる。該中心ロッド４４は、該モジュール１０ａ、１０ｃの下方部分に近接して、該浄化装置１９ａ、１９ｂの各モジュール１０ａ、１０ｃから延在していてもよい。中心ケーブル４６は、該中心ロッド４４に係合することができ、また、該中心ケーブル４６の端部は、前述したように、該水溜り部の壁４０ａ、４０ｂに取付けることができる。該ロッド３４と該中心ロッド４４は、該下方ケーブル３６および／または該中心ケーブル４６に係合して、それらの端部間で比較的長い距離に亘っている該ケーブル３６、４６のための堅固な支持体として作用することができる。また、該ロッド３４は、該シート１２の曲率を増減させるために、該シート１２に対する張力を増減させるように機能することもできる。
【０１１１】
引き続き図４から図７を参照すると、該浄化装置１９ａ、１９ｂは、該浄化装置１９ａ、１９ｂの上に少なくとも部分的に配置された集水トラフ３８ａ、３８ｂ、３８ｃを含む集水システムをさらに含むことができる。該集水トラフ３８ａ、３８ｂ、３８ｃは、該浄化装置１９ａ、１９ｂを通って流れている浄化された水、例えば、該浄化装置１９ａ、１９ｂの上部から流出している水を受け入れるように構成することができ、該水は、該浄化装置１９ａ、１９ｂへ流れた廃水からの該廃棄物が重力により底部に沈殿することによって、既に浄化されている。
【０１１２】
引き続き図４から図７を参照すると、該水溜り部３２は、該水処理システム３０によって処理された浄化水がそこの中を流れる流出水路４２を含んでもよい。いくつかの非限定的な実施例において、該浄化水は、該集水トラフ３８ａ、３８ｂ、３８ｃから該流出水路４２に流入することができる。
【０１１３】
図８を参照すると、非限定的実施形態による別の水処理システム３０が図示されている。この非限定的実施形態においては、該下方ケーブル３６および該中心ケーブル４６に係合するロッドを用いる該前述した構成の代わりに、下方トラック４８ａ、４８ｂを用いてもよい。該下方トラック４８ａ、４８ｂは、該シート１２の該底部に近接して配置することができる。該下方トラック４８ａ、４８ｂは、該下方ケーブル３６および／または該中心ケーブル４６に係合して、それらの端部間で比較的長い距離に亘っている該ケーブル３６、４６のための堅固な支持体として作用することができる。
【０１１４】
引き続き図８を参照すると、該モジュール１０の該シート１２を横断して水平方向に（該地面と平行に）亘るように、スペーサバー４９をさらに含めてもよい。該スペーサバー４９は、図８に図示されているように、該シート１２の該上部および／または該底部に近接して配置することができる。該スペーサバー４９は、該シートの側部間の幅を調節して、それにより、任意の曲率が所望される場合に、該シート１２の該所望の曲率（弛み）を実現できるように、長さが調節可能であってもよい。
【０１１５】
引き続き図８を参照すると、上方トラック５０ａ、５０ｂと上方ケーブル５２ａ、５２ｂを、該浄化装置１９のためのさらなる支持体として利用してもよい。該上方トラック５０ａ、５０ｂは、該シート１２の該上部に近接して配置することができ、そして、該上方ケーブル５２ａ、５２ｂに係合して、それらの端部間で比較的長い距離に亘っている該上方ケーブル５２ａ、５２ｂのための堅固な支持体として作用することができる。
【０１１６】
図９を参照すると、水処理システム３０の集水システム６０が図示されている。該集水システム６０は、液体、例えば、該浄化装置の該上部からの浄化水を受け入れるように構成された浮力集水トラフ６２を含む。該集水トラフ６２は、トラフベース６６によって接続された複数のトラフ壁６４ａ、６４ｂを含んでもよい。該トラフ壁６４ａ、６４ｂおよび該トラフベース６６は、プラスチックシートおよび／または可撓性材料を含んでもよく、また、該トラフ壁６４ａ、６４ｂおよび該トラフベース６６は、ポリエステル、ポリエチレン（例えば、高密度ポリエチレン（ＨＤＰＥ）、低密度ポリエチレン（ＬＤＰＥ）、鎖状低密度ポリエチレン（ＬＬＤＰＥ））、ポリプロピレン、ポリテトラフルオロエチレン（ＰＴＦＥ）ポリ塩化ビニル（ＰＶＣ）またはこれらのいくつかの組合せで形成することができる。該トラフ壁６４ａ、６４ｂおよび該トラフベース６６は、軽量の材料を含んでもよい。少なくとも一つのトラフケーブル７０ａ、７０ｂを、該トラフ壁６４ａ、６４ｂを支持するのに利用することができ、また、水溜り部壁が該トラフ壁６４ａ、６４ｂを支持するように、該トラフケーブル７０ａ、７０ｂの端部を該水溜り部壁に取付けることができる。
【０１１７】
引き続き図９を参照すると、該集水システム６０は、該集水トラフ６２を支持するように構成された浮力部材６８ａ、６８ｂをさらに含んでもよい。一つの非限定的実施例において、該浮力部材６８ａ、６８ｂは、該集水トラフ６２を支持するために、ガスを受け入れるように、および該水溜り部３２内の水中で浮いて、該浄化装置を通って流れるように構成された膨張式バッグを含んでもよい。該浮力部材６８ａ、６８ｂは、該浮力部材６８ａ、６８ｂが浮いて該集水トラフ６２を支持するように、水および／または空気が充填されたプラスチックチューブを有するポンツーンを含んでもよい。いくつかの実施例において、該トラフベース６６は、浮力部材６８ａであってもよい。該浮力部材６８ａ、６８ｂは、該トラフベース６６と協働してもよく、およびそれらが該ケーブル７０ａ、７０ｂのカテナリーで弛むのを防ぐように、該トラフベース６６（すなわち該集水トラフ６２）と該浄化装置を支持して水平にすることができる。該浮力部材６８ａ、６８ｂは、該集水トラフ６２の下に配置することができる。
【０１１８】
図１０を参照すると、一つの非限定的実施形態による水処理システム３０が図示されている。該水処理システムは、該水溜り部３２と、該水溜り部３２内に配置された（例えば、この特定の実施例では四つの）浄化装置１９ａ、１９ｂ、１９ｃ、１９ｄと、該浄化装置１９ａ、１９ｂ、１９ｃ、１９ｄの各々の上に少なくとも部分的に配置された集水システム６０ａ、６０ｂ、６０ｃ、６０ｄとを含む。該集水システム６０ａ、６０ｂ、６０ｃ、６０ｄは、それぞれの浄化装置１９ａ、１９ｂ、１９ｃ、１９ｄの各々と流体的に連通している。該水処理システム３０は、該集水システム６０ａ、６０ｂ、６０ｃ、６０ｄの各々（例えば、集水トラフ６２ａ）と、該流出水路４２との間で、該水溜り部３２の壁内に画定された流出口７２ａ、７２ｂ、７２ｃ、７２ｄをさらに含んでもよい。
【０１１９】
引き続き図１０を参照すると、水を処理する方法は、本願明細書に記載されているような浄化装置１９を設けることを含んでもよい。水は、該水溜り部３２に流入させることができ、および該浄化装置１９へ流れることができる。該水からの廃棄物は、該廃棄物を該傾斜シート１２の該疎水性の表面１３に流下させる重力によって、該浄化装置１９の該底部に沈殿し、一方、（当初の水と比較して、有する廃棄物がより少ない）該浄化水は、該傾斜シート１２を上方へ流れて、該集水システム６０に流入し続ける。該浄化水は、該集水システム６０の該集水トラフ６２で集水することができる。したがって、該方法は、浄化水、および／または該浄化装置１９によって該当初の水から既に分離されている廃棄物を集めることを含む。
【０１２０】
引き続き図１０を参照すると、該水処理システム３０は、該水溜り部３２内に配置されたスパージングシステム８４をさらに含んでもよい。該スパージングシステム８４は、該水溜り部３２の該底部に配置することができる。該スパージングシステム８４は、洗浄のための該浄化装置への空気を泡立たせる小さなオリフィスを含む、該浄化装置１９ａ〜１９ｄの下に沿っておよび該浄化装置の長さに沿って通っているエアラインを含んでもよい。該スパージングシステム８４は、空気または他の不活性ガスを該水に流して、該シート１２ａの該表面からの沈殿物の除去を促進することができる。該空気は、該シート１２ａを動揺させて（力を及ぼして）、該シート１２ａの該表面に形成している沈殿物から成る何らかの蓄積物を緩めることにより、該シート１２ａの該表面から沈殿物を除去してもよい。該シート１２ａは、可撓性ポリマー材料で形成されているため、該シート１２ａの下から形成された気泡は、該シートが、それらのシート上の該蓄積物を緩めるために動くように、該シート１２の下面に当たって力を及ぼすことができる。該シート１２ａは、他の可能性のある構成を用いて、該沈殿物の除去を促進するように動揺させてもよい。例えば、該水溜り部１２への水の流れは、該シート１２ａを動揺させるように脈動させてもよい。別の実施例では、該水処理システム３０の該ケーブルを、該シート１２ａを動揺させるように動かしてもよい。
【０１２１】
図１１および図１２を参照すると、該可撓性ポリマー材料を含む平坦な傾斜シートを有する複数の平行な傾斜モジュール１０ａ、１０ｂを有する浄化装置１９を含む水処理システム３０の別の実施形態が図示されている。この特定の実施形態において、第一のモジュール１０ａの該支持体１４ａは、オーバーラップ７６を形成するように、隣接する第二のモジュール１０ｂの該支持体１４ｂに重なるオーバーラップ材料を含んでもよい。該オーバーラップ７６は、該第一のモジュール１０ａを該第二のモジュール１０ｂに対して固定するべく、該第一の支持体１４ａの該オーバーラップ材料が該第二の支持体１４ｂに固定されるように、溶接部７８または他の取付け構成（縫製、化学結合、糊付け等）を含んでもよい。一つのモジュールを隣接するモジュールに固定する他の構成もまた、本発明の範囲内にある。
【０１２２】
図１３を参照すると、チューブ浄化装置１９を有する水処理システム３０が図示されている。該チューブ浄化装置１９は、可撓性材料から形成された複数の傾斜チューブ８０を含んでもよい。該可撓性材料は、該チューブ８０を形成するように、キャビティを画定することができる。該チューブは、任意の適当な形状、例えば、円形、楕円形、正方形、矩形またはハニカムの断面を有していてもよい。該可撓性材料は、該シートの前述した可撓性材料のうちのいずれかを含んでもよい。該可撓性材料は、前述したような疎水性の表面を有してもよく、および前述したような表面粗さを有していてもよい。該複数のチューブは、互いに対して固定することができる。一つの実施例において、第一のチューブは、例えば、溶接、糊付け、ウィービング等により、隣接する第二のチューブに取り付けてもよい。該複数の傾斜チューブは、地面と１０°から９０°、例えば、２０°から８０°、３５°から７０°、４０°から６０°、４５°から６５°、または４５°から５５°の角度を形成してもよい。
【０１２３】
引き続き図１３を参照すると、該チューブ浄化装置１９の該複数の傾斜チューブ８０は、図１９に示すように、該浄化装置１９のチューブ構造が形成されるように、任意の数の方向において張力をかけられてもよい。該張力は、水溜り部壁に取付けられたケーブルにより、または外部フレームを介して与えることができる。
【０１２４】
図１４を参照すると、図１３の該チューブ浄化装置１９が図示されているが、この実施形態では、該浄化装置１９を支持するために、フレーム８２が含まれている。該フレーム８２は、該チューブ浄化装置１９にその構造を与えるために、該チューブ浄化装置１９の縁部に亘っていてもよい。該チューブ浄化装置１９を支持する他の構成は、本発明の範囲内にある。
【実施例】
【０１２５】
以下の実施例は、本発明の一般的原理を示すために提示されている。本発明は、提示されている具体的な実施例に限定されるものと見なすべきではない。
【０１２６】
実施例１〜４
表１に詳述されている該材料から成る四つのサンプル（研磨３１６ステンレス鋼（比較例１）、低密度ポリエチレン（ＬＤＰＥ、実施例２）、鎖状低密度ポリエチレン（ＬＬＤＰＥ、実施例３）、およびポリ塩化ビニル（ＰＶＣ、実施例４））を、傾斜の角度を調節する能力を備えた傾斜プレートに付着させた。
【０１２７】
５５ガロンのプレキシガラスタンクを構成して、その中に実施例１〜４の傾斜プレート沈殿部を配置した。該地面に対する該シートの傾斜の角度は、該地面に対して４０°から６５°まで変化させた。綿状沈殿を引き起こすのに十分な化学組成で処理された、アレゲニー川からの流入水を、該傾斜プレート沈殿部へ流した。
【０１２８】
検査が完了した後に、該シート上に蓄積するフロックの量に対して、該シートの目視検査を実行した。該シート上に蓄積している、より多くの量のフロックは、該シートの該材料のより悪いパフォーマンスを示した。実施例１〜４の場合の該シートを、この目視検査に基づいて検査した各傾斜の角度に対して互いにランク付けした。１というスコアは、最も良いパフォーマンスの材料を示し、また、４というスコアは、最も悪いパフォーマンスの材料を示す。結果を以下の表１に示し、「総得点」の欄は、さまざまな傾斜の角度における各検査のスコアを合計している。
【表１】
2020530386.tif 000004
１研磨３１６ステンレス鋼
２１８μｍ以下の平均表面粗さ（Ｓａ）を有するＬＤＰＥシート
３５μｍ以下の平均表面粗さ（Ｓａ）を有するＬＬＤＰＥシート
４７μｍ以下の平均表面粗さ（Ｓａ）を有するＰＶＣシート
【０１２９】
該総得点は、概して、該可撓性ポリマー材料から形成されたシートが、該比較のステンレス鋼製シートよりも良好に性能を発揮したことを示している。
【０１３０】
上記の説明においては、さまざまな実施形態が記載されているが、当業者は、本発明の範囲および趣旨から逸脱することなく、該上記の説明に対して変更や代替を行ってもよい。例えば、この開示は、可能な限り、任意の実施形態の一つ以上の形状構成を、任意の他の実施形態の一つ以上の形状構成と組合せることができることが意図されていることを理解すべきである。したがって、該上記の説明は、限定的ではなく、例示的であることが意図されている。本願明細書において上述されている本発明は、添付クレームによって定義され、また、該クレームの意味および等価の範囲内にある、本発明に関するすべての変形は、それらの範囲内に包含されるべきである。
【図１】
2020530386.tif 000005
【図２】
2020530386.tif 000006
【図３】
2020530386.tif 000007
【図４】
2020530386.tif 000008
【図５】
2020530386.tif 000009
【図６】
2020530386.tif 000010
【図７】
2020530386.tif 000011
【図８】
2020530386.tif 000012
【図９】
2020530386.tif 000013
【図１０】
2020530386.tif 000014
【図１１】
2020530386.tif 000015
【図１２】
2020530386.tif 000016
【図１３】
2020530386.tif 000017
【図１４】
2020530386.tif 000018
【国際調査報告】
2020530386.tif 000019
2020530386.tif 000020